(57)【要約】【課題】  鉄心スロット内に配置された固定子コイルの状態によらず、鉄心スロット内での放電を抑制した回転電機を提供する。【解決手段】  コイル導体１０３ａ及びコイル導体１０３ａの表面を覆う主絶縁層１０３ｂからなる固定子コイル１０３と、固定子コイル１０３を内包する鉄心スロット１０２と、固定子コイル１０３と鉄心スロット１０２の間に配置され、主絶縁層１０３ｂに接して巻き回される第１の半導電層１１０ａと、第1の半導電層１１０ａと重ねられた状態で鉄心スロット１０２に接して固定子コイル１０３に巻き回される第２の半導電層１１０ｂを備え、第１の半導電層１１０ａは、鉄心スロット１０２側の面に離型層１１１が形成され、第1の半導電層１１０ａが、第２の半導電層１１０ｂを介して鉄心スロット１０２内周面と電気的に接続される。【選択図】図３
2019134579.tif 000002
【特許請求の範囲】
【請求項１】
コイル導体及び前記コイル導体の表面を覆う主絶縁層からなる固定子コイルと、
前記固定子コイルを内包する鉄心スロットと、
前記固定子コイルと前記鉄心スロットの間に配置され、前記主絶縁層に接して巻き回される第１の半導電層と、前記第1の半導電層と重ねられた状態で前記鉄心スロットに接して前記固定子コイルに巻き回される第２の半導電層を備え、
前記第１の半導電層は、前記鉄心スロット側の面に離型処理が施されており、前記第1の半導電層が、前記第２の半導電層を介して前記鉄心スロット内周面と電気的接続を有していることを特徴とする回転電機。
【請求項２】
コイル導体及び前記コイル導体の表面を覆う主絶縁層からなる固定子コイルと、
前記固定子コイルを内包する鉄心スロットと、
前記固定子コイルと前記鉄心スロットの間に配置され、前記鉄心スロットに対して少なくとも２重に巻き回される半導電層を有し、
前記半導電層は、前記半導電層同士が対向する面に離型処理が施されており、前記半導電層を介して前記固定子コイルと前記鉄心スロット内周面とを電気的に接続していることを特徴とする回転電機。
【請求項３】
請求項１において、
前記第１の半導電層及び前記第２の半導電層は、シート状部材に半導電塗料を塗布して形成されていることを特徴とする回転電機。
【請求項４】
請求項２において、
前記半導電層は、シート状部材に半導電塗料を塗布して形成されていることを特徴とする回転電機。
【請求項５】
請求項３又は４において、
前記離型処理はシート状部材にシリコン樹脂を塗布することを特徴とする回転電機。
【請求項６】
請求項１において、
前記第１の半導電層と前記第２の半導電層とは、前記鉄心スロットの開口側において電気的に接続されていることを特徴とする回転電機。
【請求項７】
請求項６において、
前記鉄心スロットの開口側に楔を配置したことを特徴とする回転電機。
【請求項８】
請求項１において、
前記第２の半導電層は前記鉄心スロットに対向する両側面及び反開口側に設けたことを特徴とする回転電機。
【請求項９】
請求項８において、
前記第１の半導電層と前記第２の半導電層とは前記鉄心スロットの反開口側の位置で電気的に接続されていることを特徴とする回転電機。
【請求項１０】
請求項１乃至９の何れか１項において、
前記回転電機は２極の誘導電動機であることを特徴とする回転電機。
【発明の詳細な説明】
【技術分野】
【０００１】
本発明は電動機、誘導機などの回転電機に関するものである。
【背景技術】
【０００２】
電動機、発電機、誘導機などの回転電機においては、効率向上が求められており、インバータ等の半導体スイッチング素子を用いた駆動回路で制御される。回転電機においては、固定子コイルから固定子鉄心に向けた局所的な集中放電が問題となる。特に、インバータ等の半導体スイッチング素子を用いた駆動回路で回転電機を制御する場合、インバータのスイッチング時に急峻なサージ電圧が発生し、固定子コイルから固定子鉄心に向けた集中放電が顕著となる。この集中放電により、材料の放電劣化が進行する。材料の放電劣化を抑制するために、回転電機の絶縁協調の重要性が高まっている。
【０００３】
回転電機の絶縁協調を高める技術として、回転電機の固定子コイルに半導電層を設けることが有効である。このような技術として、例えば特許文献１がある。特許文献１の図３には、鉄心スロットに挿入される固定子コイルに２枚の異なる絶縁紙を重ねて巻き、固定子コイル側に配置した絶縁紙の固定子コイル対向面側、固定子コア側に配置した絶縁紙のコア対向面側のそれぞれに半導電層を塗布して形成した技術が開示されている。特許文献１では、固定子コイルの主絶縁からスロットにかけて連続した漏れ電流路を形成し、材料の放電劣化を抑制している。
【先行技術文献】
【特許文献】
【０００４】
【特許文献１】特開２０１５−７６９０６号公報
【発明の概要】
【発明が解決しようとする課題】
【０００５】
固定子コイルは、半導電層が形成された２枚の異なる絶縁紙が重ねて巻かれた状態で固定子鉄心の鉄心スロットに挿入される。半導電層が形成された２枚の異なる絶縁紙及び固定子コイルは、鉄心スロットの内面に対し、ほぼ平行に挿入されることが望ましい。特に固定子コイルの最外周の配置された半導電層を有する絶縁紙は、鉄心スロットの内面と広い面積で接触するように配置されることが望ましい。
【０００６】
大型の回転電機では鉄心スロットに挿入される固定子コイルの長さが長くなり、またある一つの鉄心スロットから他の鉄心スロットへ跨る距離も長くなる。このため、大型の回転電機では、鉄心スロットに固定子コイルが挿入される過程において、固定子コイルに歪が生じ、固定子コイルが鉄心スロットの内面に対し傾斜して配置される可能性がある。固定子コイルが鉄心スロットの内面に対し傾斜して配置されたことに伴い、半導電層が形成された２枚の異なる絶縁紙も鉄心スロットの内面に対し傾斜して配置される可能性があり、固定子コイルの最外周の配置された半導電層を有する絶縁紙と鉄心スロット内面との接触面積が小さく、集中放電が発生する可能性があった。
【０００７】
そこで、本発明の目的は上記課題を解決し、鉄心スロット内に配置された固定子コイルの状態によらず、鉄心スロット内での放電を抑制した回転電機を提供することにある。
【課題を解決するための手段】
【０００８】
前記目的を達成するために本発明の特徴とするところは、コイル導体及び前記コイル導体の表面を覆う主絶縁層からなる固定子コイルと、前記固定子コイルを内包する鉄心スロットと、前記固定子コイルと前記鉄心スロットの間に配置され、前記主絶縁層に接して巻き回される第１の半導電層と、前記第1の半導電層と重ねられた状態で前記鉄心スロットに接して前記固定子コイルに巻き回される第２の半導電層を備え、前記第１の半導電層は、前記鉄心スロット側の面に離形処理が施されており、前記第1の半導電層が、前記第２の半導電層を介して前記鉄心スロット内周面と電気的接続を有していることにある。
【０００９】
また、本発明の特徴とするところは、コイル導体及び前記コイル導体の表面を覆う主絶縁層からなる固定子コイルと、前記固定子コイルを内包する鉄心スロットと、前記固定子コイルと前記鉄心スロットの間に配置され、前記鉄心スロットに対して少なくとも２重に巻き回される半導電層を有し、前記半導電層は、前記半導電層同士が対向する面に離形処理が施されており、前記半導電層を介して前記固定子コイルと前記鉄心スロット内周面とを電気的に接続させたことにある。
【発明の効果】
【００１０】
本発明によれば、鉄心スロット内に配置された固定子コイルの状態によらず、鉄心スロット内での放電を抑制した回転電機を提供することができる。
【図面の簡単な説明】
【００１１】
【図１】本発明の実施例に係る回転電機の固定子を示す全体斜視図である。
【図２】本発明の実施例に係る回転電機の軸方向断面図である。
【図３】本発明の第１実施例に係る固定子コイルと鉄心スロットとの関係を示す部分断面図である。
【図４】本発明の第２実施例に係る固定子コイルと鉄心スロットとの関係を示す部分断面図である。
【図５】本発明の第２実施例に係る固定子コイルと鉄心スロットとの関係を示す部分断面図である。
【図６】本発明の第３実施例に係る固定子コイルと鉄心スロットとの関係を示す部分断面図である。
【発明を実施するための形態】
【００１２】
以下、本発明に係る回転電機の実施例を図面に基づいて説明する。本発明は以下の実施例に限定されることなく、本発明の技術的な概念の中で種々の変形例や応用例もその範囲に含むものである。
【実施例１】
【００１３】
本発明の第１実施例について図１〜図３を用いて説明する。図１は本発明の実施例に係る回転電機の固定子を示す全体斜視図である。図２は本発明の実施例に係る回転電機の軸方向断面図である。図１及び図２は全実施例において共通している。
【００１４】
図１及び図２において、固定子１００は複数の電磁鋼板が積層されて形成された固定子鉄心１０１と、固定子鉄心１０１に形成された複数の鉄心スロット１０２と、複数の鉄心スロット１０２内に配置された固定子コイル１０３と、固定子鉄心１０１の外径側を支持する固定子枠１０４とから構成されている。固定子コイル１０３は複数本の素線が束となって構成される。鉄心スロット１０２は、径方向内側の開口部から径方向外側に向かって凹むように形成されている。また鉄心スロット１０２は固定子鉄心１０１の軸方向に延びて形成されている。鉄心スロット１０２の開口部には、固定子コイル１０３の抜け出しを防止する楔１０５が備えられている。
【００１５】
固定子１００の内周側には回転子２００が配置されている。回転子２００は、複数の電磁鋼板が積層されて形成された回転子鉄心２０１と、回転子鉄心２０１の中央部に設けられた回転軸２０２を備えている。回転軸２０２は図示しない軸受により回転可能に支持されている。回転子鉄心２０１は、固定子鉄心１０１の内側に隙間を空けて配置され、回転可能に支持されている。これら固定子１００及び回転子２００により回転電機が構成されている。
【００１６】
本実施例では、固定子の軸方向の長さが数メートル単位と長い、産業用の回転電機に適用した例で説明する。また、回転電機の種類としては、高回転を得られる２極の誘導電動機としている。
【００１７】
産業用といった大型の回転電機は、固定子鉄心の長さが数メートル単位と長くなり、固定子鉄心１０１の鉄心スロット１０２に内包される固定子コイル１０３もその長さに応じて長くなる。また、ある一つの鉄心スロット１０２の配置された固定子コイル１０３は、他の鉄心スロット１０２に跨るように配置される。
【００１８】
固定子鉄心１０１の鉄心スロット１０２に固定子コイル１０３を挿入する場合、半導電層が形成されたシートを固定子コイル１０３の外周に巻いて挿入する。半導電層が形成されたシート及び固定子コイル１０３は、鉄心スロット１０２の内面に対し、ほぼ平行に挿入されることが望ましい。特に固定子コイル１０３の最外周の配置された半導電層を有するシートは、鉄心スロット１０２の内面と広い面積で接触するように配置されることが好ましい。前述した大型の回転電機では鉄心スロット１０２に挿入される固定子コイル１０３の長さが長くなり、またある一つの鉄心スロット１０２から他の鉄心スロット１０２へ跨る距離も長くなる。このため、大型の回転電機では、鉄心スロット１０２に固定子コイル１０３が挿入される過程において、固定子コイル１０３に歪が生じ、固定子コイル１０３が鉄心スロット１０２の内面に対して傾斜して配置される可能性がある。そして、固定子コイル１０３の最外周に配置された半導電層を有するシートが固定子コイル１０３の歪みに沿って配置され、鉄心スロット１０２との接触面積が小さくなり、集中放電が発生する可能性があった。この集中放電を抑制する手段について、図３を用いて説明する。
【００１９】
図３は本発明の第１実施例に係る固定子コイルと鉄心スロットとの関係を示す部分断面図である。本実施例の固定子コイル１０３は、通電するコイル導体１０３ａと、このコイル導体１０３ａの表面を覆って絶縁する主絶縁層１０３ｂから構成されている。固定子コイル１０３の外周には、固定子コイル１０３の主絶縁層１０３ｂに接して巻き回される第１の半導電層１１０aが配置されている。本実施例の半導電層１１０は、第１の半導電層１１０ａと第２の半導電層１１０ｂより構成されている。第１の半導電層１１０ａは、シート状部材の片面もしくは両面に半導電塗料を塗布して形成される。また、シート状部材の片面には、離型処理が施された離型層１１１が設けられている。離型層１１１はシート状部材にシリコン樹脂を塗布して形成される。そして、シート状部材の一方の面には第１の半導電層１１０aが形成され、シート状部材の他方の面（反対側の面）には離型層１１１が形成される。離型層１１１は固定子鉄心１０１（鉄心スロット１０２）に面する側に位置させる。
【００２０】
また、離型層１１１の外側には第２の半導電層１１０ｂが設けられている。第２の半導電層１１０ｂは、シート状部材の片面もしくは両面に半導電塗料を塗布して形成される。シート状部材の片面に半導電塗料を塗布する場合には、固定子鉄心１０１（鉄心スロット１０２）に面する側に塗布する。第２の半導電層１１０ｂは、第1の半導電層１１０ａと重ねられ固定子コイル１０３に巻き回された状態で鉄心スロット１０２に挿入され、固定子鉄心１０１に接する。固定子鉄心１０１には、楔１０５が配置され、鉄心スロット１０２の開口部が覆われ、固定子コイル１０３の抜け出しを防止する。
【００２１】
第１の半導電層１１０ａ及び離型層１１１は、固定子コイル１０３の鉄心スロット１０２開口側（図３の上方）から巻き始められ、固定子コイル１０３の外周を一周した後、鉄心スロット１０２の開口側において重なり巻き終わる。第１の半導電層１１０ａ及び離型層１１１の巻き終わり部分は、巻き始め部分の外周側に位置し、外周側端部領域を形成する。同様に第２の半導電層１１０ｂは、固定子コイル１０３の鉄心スロット１０２の開口側（図３の上方）から巻き始められ、固定子コイル１０３の外周を一周した後、固定子コイル１０３の鉄心スロット１０２開口側で重なり巻き終わる。第２の半導電層１１０ｂの巻き始め部分は、離型層１１１と第１の半導電層１１０ａの巻き終わりとの間に挟まれるような形で配置され、内周側端部領域を形成する。
【００２２】
このように配置することで、固定子コイル１０３に巻き回された第１の半導電層１１０ａの外周側端部領域と、固定子コイル１０３に巻き回された第２の半導電層１１０ｂの内周側端部領域が離型層１１１を介さずに接する面を有し、当該面と第２の半導電層１１０ｂの固定子鉄心１０１と接する面によって導電路を形成することができる。第１の半導電層１１０ａと第２の半導電層１１０ｂとは、鉄心スロット１０２の開口側において電気的に接続されている。
【００２３】
本実施例ではシート状部材の一方の面には第１の半導電層１１０aを形成し、シート状部材の他方の面（反対側の面）には離型層１１１を形成している。すなわち、第１の半導電層１１０ａと第２の半導電層１１０ｂとの間には、離型層１１１が形成されている。離型層１１１は、第１の半導電層１１０ａと第２の半導電層１１０ｂの接着を抑制する。離型層１１１により、第２の半導電層１１０ｂは第１の半導電層１１０ａから離れて外側に広がり、固定子鉄心１０１に接する。この際、第２の半導電層１１０ｂは、固定子鉄心１０１との接触面積が拡大する。このため、鉄心スロット１０２に固定子コイル１０３が挿入される過程において、固定子コイル１０３に歪が生じ、固定子コイル１０３が鉄心スロット１０２の内面に対して傾斜して配置されたとしても、固定子コイル１０３の歪に沿わず、第２の半導電層１１０ｂは第１の半導電層１１０ａから離れ、固定子鉄心１０１に接することができる。
【００２４】
また、鉄心スロット１０２の開口部には楔１０５が配置されているので、固定子コイル１０３、半導電層１１０（第１の半導電層１１０ａ、第２の半導電層１１０ｂ）が鉄心スロット１０２内に強固に押さえられ、鉄心スロット１０２内での電気的接触を強固にし、固定子コイル１０３と、第１の半導電層１１０ａと、第２の半導電層１１０ｂと、固定子鉄心１０１との間で導電路を形成することができる。固定子コイルに１０３に接する第１の半導電層１１０ａは、第２の半導電層１１０ｂを介して固定子鉄心１０１（鉄心スロット１０２の内周面）と電気的接続を有している。
【００２５】
さらに離型層１１１により、第１の半導電層１１０ａと第２の半導電層１１０ｂとは非接着状態となるので、固定子コイル１０３の温度上昇を抑制でき、固定子コイル１０３の発熱による主絶縁層１０３ｂの剥離を抑制することができる。
【００２６】
本実施例によれば、第１の半導電層１１０ａと第２の半導電層１１０ｂとの間に離型層１１１を設けるようにしているので、第２の半導電層１１０ｂと固定子鉄心１０１との接触面積を拡大でき、鉄心スロット１０２内に配置された固定子コイル１０３の状態によらず、鉄心スロット１０２内での放電を抑制することができる。
【実施例２】
【００２７】
次に本発明の第２実施例について、図４及び図５を用いて説明する。第１実施例と共通する構成は、同一の符号を付している。第２実施例では１枚のシート状部材を用いている点において、第１実施例と異なっている。図４及び図５は、本発明の第２実施例に係る固定子コイルと鉄心スロットとの関係を示す部分断面図である。
【００２８】
本実施例の固定子コイル１０３は、通電するコイル導体１０３ａと、このコイル導体１０３ａの表面を覆って絶縁する主絶縁層１０３ｂから構成されている。固定子コイル１０３の外周には、固定子コイル１０３の主絶縁層１０３ｂに対して少なくとも２重以上巻き回された半導電層１１０が配置されている。
【００２９】
本実施例では、半導電層１１０のうち、固定子コイル１０３の主絶縁層１０３ｂと面する部分を第１の半導電層１１０ａとし、この第１の半導電層１１０ａと重なり２周目となる鉄心スロット１０２の開口側（図４の上方）から巻き終わり部分までを第２の半導電層１１０ｂとする。第１の半導電層１１０ａ及び第２の半導電層１１０ｂは、シート状部材の両面に半導電塗料を塗布して形成される。また、シート状部材の一部には離型処理が施された離型層１１１が設けられている。離型層１１１はシート状部材にシリコン樹脂を塗布して形成される。
【００３０】
離型層１１１は、例えば半導電層１１０同士が対向する面における少なくとも片側面に設けられていればよい。図４においては、第２の半導電層１１０ｂに離型層１１１を設け、図５においては、第１の半導電層１１０ａ及び第２の半導電層１１０ｂの一部である鉄心スロット１０２の開口側（図５の上方）に離型層１１１を設けている。
【００３１】
本実施例では、シート状部材に第１の半導電層１１０ａ及び第２の半導電層１１０ｂが連続して形成されている。また、第１の半導電層１１０ａもしくは第２の半導電層１１０ｂに離型層１１１を形成している。すなわち、第１の半導電層１１０ａと第２の半導電層１１０ｂとの間には、離型層１１１が形成されている。離型層１１１は、第１の半導電層１１０ａと第２の半導電層１１０ｂの接着を抑制する。離型層１１１により、第２の半導電層１１０ｂは第１の半導電層１１０ａから離れて外側に広がり、固定子鉄心１０１に接する。この際、第２の半導電層１１０ｂは、固定子鉄心１０１との接触面積が拡大する。このため、鉄心スロット１０２に固定子コイル１０３が挿入される過程において、固定子コイル１０３に歪が生じ、固定子コイル１０３が鉄心スロット１０２の内面に対して傾斜して配置されたとしても、固定子コイル１０３の歪に沿わず、第２の半導電層１１０ｂは第１の半導電層１１０ａから離れ、固定子鉄心１０１に接することができる。
【００３２】
また、鉄心スロット１０２の開口部には楔１０５が配置されているので、固定子コイル１０３、半導電層１１０（第１の半導電層１１０ａ、第２の半導電層１１０ｂ）が鉄心スロット１０２内に強固に押さえられ、鉄心スロット１０２内での電気的接触を強固にし、固定子コイル１０３と、半導電層１１０（第１の半導電層１１０ａ、第２の半導電層１１０ｂ）と、固定子鉄心１０１との間で導電路を形成することができる。固定子コイルに１０３に接する第１の半導電層１１０ａは、第２の半導電層１１０ｂを介して固定子鉄心１０１（鉄心スロット１０２の内周面）と電気的接続を有している。
【００３３】
さらに離型層１１１により、第１の半導電層１１０ａと第２の半導電層１１０ｂとは非接着状態となるので、固定子コイル１０３の温度上昇を抑制でき、固定子コイル１０３の発熱による主絶縁層１０３ｂの剥離を抑制することができる。
【００３４】
本実施例によれば、第１の半導電層１１０ａと第２の半導電層１１０ｂとの間に離型層１１１を設けるようにしているので、第２の半導電層１１０ｂと固定子鉄心１０１との接触面積を拡大でき、鉄心スロット１０２内に配置された固定子コイル１０３の状態によらず、鉄心スロット１０２内での放電を抑制することができる。
【００３５】
また、本実施例によれば、第１の半導電層１１０ａ、第２の半導電層１１０ｂは１枚のシート状部材に連続して形成された半導電層１１０から成るため、半導電層１１０を製造するコストを低減することができる。
【実施例３】
【００３６】
次に本発明の第３実施例について、図６を用いて説明する。第１実施例及び第２実施例と共通する構成は、同一の符号を付している。第３実施例は、第２の半導電層１１０ｂの楔１０５側の面に半導電層を設けていない点において第１実施例と異なっている。また、第２の半導電層１１０ｂの楔１０５側と反対側には離型層１１１を設けていない点においても第１実施例と異なっている。図６は、本発明の第３実施例に係る固定子コイルと鉄心スロットとの関係を示す部分断面図である。
【００３７】
本実施例の半導電層１１０は、第１の半導電層１１０ａと第２の半導電層１１０ｂより構成されている。固定子コイル１０３の外周には、固定子コイル１０３の主絶縁層１０３ｂに接して巻き回される第１の半導電層１１０ａが配置されている。第１の半導電層１１０ａは、シート状部材の片面もしくは両面に半導電塗料を塗布して形成される。また、シート状部材の片面の一部には、離型処理が施された離型層１１１が設けられている。離型層１１１はシート状部材にシリコン樹脂を塗布して形成される。そして、シート状部材の一方の面には第１の半導電層１１０aが形成され、シート状部材の他方の一部の面（反対側の面）には離型層１１１が形成される。離型層１１１は固定子鉄心１０１（鉄心スロット１０２）に面する側に位置させる。
【００３８】
また、離型層１１１の外側には第２の半導電層１１０ｂが設けられている。第２の半導電層１１０ｂは、シート状部材の両面に半導電塗料を塗布して形成される。第２の半導電層１１０ｂは、第1の半導電層１１０ａと重ねられ固定子コイル１０３に巻き回された状態で鉄心スロット１０２に挿入され、固定子鉄心１０１に接する。固定子鉄心１０１には、楔１０５が配置され、鉄心スロット１０２の開口部が覆われ、固定子コイル１０３の抜け出しを防止する。
【００３９】
第１の半導電層１１０ａは、固定子コイル１０３の鉄心スロット１０２開口側（図６の上方）から巻き始められ、固定子コイル１０３の外周を一周した後、鉄心スロット１０２の開口側において重なり巻き終わる。
【００４０】
第２の半導電層１１０ｂは、固定子コイル１０３の外周の一部を覆う。第２の半導電層１１０ｂは、固定子コイル１０３の右側面（図６の右側）から巻き始められ、固定子コイル１０３の下方（挿入側）を回り、固定子コイル１０３の左側面（図６の左側）で巻き終わる。換言すると、第２の半導電層１１０ｂは、固定子コイル１０３の鉄心スロット１０２に対向する両側面及び反開口側に設けている。
【００４１】
第１の半導電層１１０ａに離型処理が施される離型層１１１は、第１の半導電層１１０ａと第２の半導電層１１０ｂとが対向する面のうち、少なくとも固定子鉄心１０１（鉄心スロット１０２）に対向する両側面に形成されている（離型処理が施されている）。さらに本実施例では、第１の半導電層１１０ａ同士が重なる部分（図６の上方）もの離型層１１１が形成されている。
【００４２】
このように配置することで、固定子コイル１０３に巻き回された第１の半導電層１１０ａの下方と第２の半導電層１１０ｂの下方が離型層１１１を介さずに接する部分を有し、当該部分と第２の半導電層１１０ｂの固定子鉄心１０１と接する部分によって導電路を形成することができる。第１の半導電層１１０ａと第２の半導電層１１０ｂとは鉄心スロット１０２の反開口側の位置で電気的に接続されている。
【００４３】
本実施例ではシート状部材の一方の面には第１の半導電層１１０ａを形成し、第１の半導電層１１０ａと第２の半導電層１１０ｂとが対向する面のうち、少なくとも固定子鉄心１０１（鉄心スロット１０２）と対向する両側面に離型層１１１を形成している。離型層１１１は、第１の半導電層１１０ａと第２の半導電層１１０ｂの接着を抑制する。離型層１１１により、第２の半導電層１１０ｂは第１の半導電層１１０ａから離れて外側に広がり、固定子鉄心１０１に接する。この際、第２の半導電層１１０ｂは、固定子鉄心１０１との接触面積が拡大する。このため、鉄心スロット１０２に固定子コイル１０３が挿入される過程において、固定子コイル１０３に歪が生じ、固定子コイル１０３が鉄心スロット１０２の内面に対して傾斜して配置されたとしても、固定子コイル１０３の歪に沿わず、第２の半導電層１１０ｂは第１の半導電層１１０ａから離れ、固定子鉄心１０１に接することができる。
【００４４】
また、鉄心スロット１０２の開口部には楔１０５が配置されているので、固定子コイル１０３、半導電層１１０（第１の半導電層１１０ａ、第２の半導電層１１０ｂ）が鉄心スロット１０２内に強固に押さえられ、鉄心スロット１０２内での電気的接触を強固にし、固定子コイル１０３と、第１の半導電層１１０ａと、第２の半導電層１１０ｂと、固定子鉄心１０１との間で導電路を形成することができる。固定子コイルに１０３に接する第１の半導電層１１０ａは、第２の半導電層１１０ｂを介して固定子鉄心１０１（鉄心スロット１０２の内周面）と電気的接続を有している。
【００４５】
さらに離型層１１１により、第１の半導電層１１０ａと第２の半導電層１１０ｂとは非接着状態となるので、固定子コイル１０３の温度上昇を抑制でき、固定子コイル１０３の発熱による主絶縁層１０３ｂの剥離を抑制することができる。
【００４６】
本実施例によれば、第１の半導電層１１０ａと第２の半導電層１１０ｂとの間に離型層１１１を設けるようにしているので、第２の半導電層１１０ｂと固定子鉄心１０１との接触面積を拡大でき、鉄心スロット１０２内に配置された固定子コイル１０３の状態によらず、鉄心スロット１０２内での放電を抑制することができる。
【００４７】
また、本実施例では固定子コイル１０３と固定子鉄心１０１との間に電気的接続がある構造でありながら、第２の半導電層１１０ｂの楔側の半導電層１枚分のスペースを無くすことができるので、固定子コイル１０３の挿入代が少ない場合においても鉄心スロット１０２内への固定子コイル１０３の挿入が容易になる。
【００４８】
なお、本発明は、上述した実施例に限定するものではなく、様々な変形例が含まれる。上述した実施例は本発明を分かり易く説明するために詳細に説明したものであり、必ずしも説明した全ての構成を備えるものに限定するものではない。
【符号の説明】
【００４９】
１００  固定子
１０１  固定子鉄心
１０２  鉄心スロット
１０３  固定子コイル
１０３ａ  コイル導体
１０３ｂ  主絶縁層
１０４  固定子枠
１０５  楔
１１０  半導電層
１１０ａ  第１の半導電層
１１０ｂ  第２の半導電層
１１１  離型層
２００  回転子
２０１  回転子鉄心
２０２  回転軸
【図１】
2019134579.tif 000003
【図２】
2019134579.tif 000004
【図３】
2019134579.tif 000005
【図４】
2019134579.tif 000006
【図５】
2019134579.tif 000007
【図６】
2019134579.tif 000008